(57)【要約】【課題】停電箇所に対応する電源ユニットを誤解を生じることなく表示し、かつ、迅速に取り付けることが可能な作業札等を提供すること。【解決手段】発電プラントにおける電気工事の作業対象箇所への電力供給を制御する電源ユニットに配置するための作業札１０は、作業中であることを表示する本体１２と、本体１２を電源ユニットに取り付けるための輪状の紐１４とを有する。作業札１０は、さらに、紐１４を輪状のまま摺動させつつ貫通させるための貫通孔が形成されており、貫通孔によって任意の位置で紐１４を固定することができる円筒部材１６を有する。【選択図】図１
2009026002.tif 000002
【特許請求の範囲】
【請求項１】
発電プラントにおける電気工事の作業対象箇所への電力供給を制御する電源ユニットに配置するための作業札であって、
作業中であることを表示する本体と、
前記本体を前記電源ユニットに取り付けるための輪状の紐と、
前記紐を輪状のまま摺動させつつ貫通させるための貫通孔が形成されており、前記貫通孔によって任意の位置で前記紐を固定することができる円筒部材と、を有することを特徴とする作業札。
【請求項２】
前記円筒部材は、軟質ゴムで形成されていることを特徴とする請求項１に記載の作業札。
【請求項３】
前記円筒部材には、前記紐が抜けることを防止するために前記貫通孔を仕切る仕切り部が形成されていることを特徴とする請求項１又は請求項２のいずれかに記載の作業札。
【請求項４】
請求項１乃至請求項３のいずれかに記載の作業札が複数配置された電源制御装置。
【請求項５】
請求項４に記載の電源制御装置を有する発電プラント。
【発明の詳細な説明】
【技術分野】
【０００１】
本発明は、発電プラントで使用される作業札、電源制御装置及び発電プラントに関する。
【背景技術】
【０００２】
火力発電所等の発電プラントにおいては、プラント内の電気工事をする必要が頻繁にある。そして、電気工事を実施している区間については、停電の措置（「縁切り」と呼ぶ）をする必要がある。
【０００３】
そして、停電している区間について誤って加圧（送電）すると、作業者が感電する事故が発生する可能性があるため、停電箇所に対応する電源ユニットの部分に、図１３に示すような作業札１００が配置される。作業札１００は、作業札本体１００ａ（以下、「本体１００ａ」と呼ぶ）と、取り付け用紐１００ｂ（以下、「紐１００ｂ」と呼ぶ）とから構成される。
【０００４】
紐１００ｂは、本体１００ａに形成された孔１００ａａに通された状態で、輪になっている。
【０００５】
図１４に示すように、棒状部材１３０に紐１００ｂが巻きつくことによって、作業札１００が棒状部材１３０に固定される。このとき、棒状部材１３０と本体１００ａは、距離ｄ１だけ乖離する。
【０００６】
ところが、紐１００ｂの長さは一定であるから、図１５に示すように、棒状部材１３０よりも直径が小さい棒状部材１３２の場合には、棒状部材１３２と本体１００ａとの乖離距離ｄ２は、距離ｄ１よりも大きくなる。この結果、図１６に示すように、多数の電源ユニット１５２Ａ乃至１５２Ｌが集合した電源制御装置１５０において、例えば、電源ユニット１５２Ａの取り付け部に取り付けた作業札１００の本体１００ａが、停電箇所に対応しない電源ユニット１５２Ｂの位置に垂れ下がる場合がある。ここで、電源ユニット１５２Ａの取り付け部は棒状部材１３２で形成されている。
【０００７】
なお、作業札１００を取り付ける棒状部材の直径ごとに、対応する長さの紐１００ｂを用意しておくことは煩雑である。また、そのような長さの異なる紐１００ｂを用意したとしても、長さごとに作業札１００を格納しておくスペースがない場合もあるし、棒状部材と合致した長さの紐１００ｂを有する作業札１００を選択することは、迅速性が求められる作業現場においては実用性を欠く。
【０００８】
図１６のような状態においては、電源制御装置１５０の作業者が、作業札１００が電源ユニット１５２Ｂに配置されたものと誤解して、本来作業札１００が配置されている電源ユニット１５２Ａの電源を入れてしまうおそれがある。
【０００９】
これに対して、作業を行っている設備や変電所について、鎖錠制御を自動的に行い、対応する設備や変電所に対してＣＲＴ画面上で作業札を表示する技術が提案されている（特許文献１）。
【特許文献１】特開２００２−３２１０１号
【発明の開示】
【発明が解決しようとする課題】
【００１０】
しかし、既存の発電設備においては、鎖錠制御を自動的に行うための改造を行うことができない場合もあり、手動で停電及び加圧を行う必要が生じる。そして、安全確保のために、作業中の区間と隣接する区間において停電を行う場合には、作業札１００を複数配置する必要がある。しかも、事故を回避するために、迅速に作業札１００を配置する必要がある。
【００１１】
本発明は、上述した課題に鑑みてなされたものであり、停電箇所に対応する電源ユニットを誤解を生じることなく表示し、かつ、迅速に取り付けることが可能な作業札、電源制御装置及び電源プラントを提供することを目的とする。
【課題を解決するための手段】
【００１２】
具体的には、本発明は以下のものを提供する。
【００１３】
（１）  発電プラントにおける電気工事の作業対象箇所への電力供給を制御する電源ユニットに配置するための作業札であって、作業中であることを表示する本体と、前記本体を前記電源ユニットに取り付けるための輪状の紐と、前記紐を輪状のまま摺動させつつ貫通させるための貫通孔が形成されており、前記貫通孔によって任意の位置で前記紐を固定することができる円筒部材と、を有することを特徴とする作業札である。
【００１４】
（１）の発明によれば、円筒部材は、貫通孔によって任意の位置で紐を固定することができる。
【００１５】
このため、本体と前記電源ユニットの間に生じた距離は、円筒部材を移動させることによって、短縮することができる。このため、停電箇所に対応する電源ユニットを誤解を生じることなく表示することができる。
【００１６】
また、円筒部材を移動させるだけで、本体と電源ユニットの間に生じた距離を短縮することができるから、作業札を電源ユニットに対して迅速に取り付けることができる。
【００１７】
（２）  前記円筒部材は、軟質ゴムで形成されていることを特徴とする（１）に記載の作業札である。
【００１８】
（２）の発明によれば、円筒部材は軟質ゴムで形成されているから、紐を摺動させつつ貫通させることができ、かつ、任意の位置で固定することができる。
【００１９】
（３）  前記円筒部材には、前記紐が抜けることを防止するために前記貫通孔を仕切る仕切り部が形成されていることを特徴とする（１）又は（２）のいずれかに記載の作業札である。
【００２０】
（３）の発明によれば、紐が円筒部材から抜けることによって、円筒部材が本体から分離することを防止することができる。
【００２１】
（４）  （１）乃至（３）のいずれかに記載の作業札が複数配置された電源制御装置である。
【００２２】
（４）の発明によれば、電源制御装置に多数の電源ユニットが格納されていて、そのうちの一部が停電箇所に対応している場合において、停電箇所に対応する電源ユニットを誤って認識することを防止することができる。
【００２３】
（５）  （４）に記載の電源制御装置を有する発電プラントである。
【００２４】
（４）の発明によれば、発電プラントの電源制御装置において、作業札の本体と電源ユニットの間に生じた距離は、円筒部材を移動させることによって、短縮することができる。このため、停電箇所に対応する電源ユニットを誤解を生じることなく表示することができる。
【００２５】
また、円筒部材を移動させるだけで、本体と電源ユニットの間に生じた距離を短縮することができるから、複数の作業札を電源ユニットに対して迅速に取り付けることができる。
【発明の効果】
【００２６】
本発明によれば、停電箇所に対応する電源ユニットを誤解を生じることなく表示し、かつ、迅速に取り付けることが可能である。
【発明を実施するための最良の形態】
【００２７】
以下、本発明の実施形態の一例について、添付した図面を参照しながら、具体的に説明する。
【００２８】
［第１実施形態］
図１は、第１実施形態の作業札１０を示す概略斜視図である。なお、本実施形態以降の説明では、同じ部材の場合には同じ符号を付すとともに、すでに説明した部材の説明は省略する。
【００２９】
作業札１０は、発電プラント内において電気工事を行う場合において、作業において停電させた停電部分に対応する電源ユニットに配置するための札である。電源ユニットは複数存在し、電源制御装置に格納されている。
【００３０】
図１に示すように、作業札１０は、本体１２と、輪状の紐１４と、円筒部材１６によって構成されている。
【００３１】
本体１２は、作業中であることを表示するための表示板である。本体１２は、例えば、プラスチック樹脂で形成されている。
【００３２】
紐１４は、本体１２を電源ユニットに取り付けるための構成である。紐１４は、本体１２に形成された孔１２ａを通ることによって、本体１２と連結している。紐１４の材質は、例えば、綿である。
【００３３】
図２は、円筒部材１６を示す概略斜視図である。図２に示すように、円筒部材１６は、貫通孔１６ａを有する。貫通孔１６ａは、紐１４を輪状のまま摺動させつつ貫通させるための孔である。貫通孔１６ａの直径Ｌ１は、紐１４の断面の直径のほぼ２倍である。言い換えると、紐１４は図１に示すように、二重になった状態で、貫通孔１６ａを摺動しつつ貫通する。
【００３４】
そして、円筒部材１６は、軟質ゴムで形成されている。軟質ゴムは、紐１４に対する摩擦係数が大きい。このため、紐１４と円筒部材１６は、任意の位置で位置決めすると、重力や風というような、自然の力ではその位置が変動しない程度に固定される。
【００３５】
軟質ゴムは、例えば、天然軟質ゴム、クロロプレン系合成ゴム、ブチル系合成ゴム、ＥＰＤＭ系合成ゴムであるが、これらに限らない。
【００３６】
以上が、作業札１０の構成である。以下、主に図３乃至図８を使用して、作業札１０の使用方法を説明する。
【００３７】
図３乃至図８は、作業札１０の使用方法の一例を示す概略図である。作業者は、図３乃至図８の紙面手前側に位置するものとして、以下の説明をする。また、図３の矢印Ｙ１方向を上とし、矢印Ｙ１と反対方向を下とする。
【００３８】
まず、棒状部材１３２で形成されている取り付け部材に対して紙面手前側に作業札１０を配置する。このとき、円筒部材１６は、紐１４の上端部１４ａに近い位置に配置しておく。これにより、円筒部材１６と取り付け部材を形成する棒状部材１３２との距離Ｌ２を、本体１２の長さＬ３とほぼ等しい長さに確保することができるようになっている。
【００３９】
続いて、図４に示すように、本体１２を棒状部材１３２を支点として紙面奥側に折り曲げる。
【００４０】
続いて、図５に示すように、本体１２を紐１４が形成する輪の中Ｓを通して、手前側に持ってくる。上述のように、円筒部材１６と棒状部材１３２との距離Ｌ２を、本体１２の長さＬ３とほぼ等しい長さにしているから、本体１２を容易に輪の中Ｓを通すことができる。
【００４１】
図５の状態において、紐１４の上端部１４ａを片手で固定して、円筒部材１６を下に摺動させると、図６に示すように、本体１２の上端部１２ｂは棒状部材１３２にほぼ接触する。
【００４２】
図６の状態で、紐１４の上端部１４ａから手を離すと、図７に示すような状態となり、作業札１０の取り付けが完了する。
【００４３】
このように、作業札１０を棒状部材１３２に取り付けることは容易であり、迅速に取り付けが可能である。しかも、本体１２の上端部１２ｂは、棒状部材１３２で形成された取り付け部材にほぼ接触する。
【００４４】
図８は、電源制御装置１５０を含む制御盤１６０を示す概略図である。図８に示すように、制御盤１６０において、作業者は、様々な機器の制御を行う作業をする必要がある。この作業の一つが、電源制御装置１５０による電源ユニットの操作である。
【００４５】
図９に示すように、多数の電源ユニット１５２Ａ等を有する電源制御装置１５０において、電源ユニット１５２Ａに取り付けた作業札１０は、確実に電源ユニット１５２Ａに取り付けられたものであることが認識できる。
【００４６】
このため、作業者が、誤って、例えば、電源ユニット１５２Ａの電源を入れることを防止することができる。
【００４７】
なお、作業札１０の取り付け部材からの取り外しは、上述した取り付けとは逆の操作をすればよいから、取り外しも容易である。
【００４８】
［第２実施形態］
図１０及び図１１を参照して、本発明の第２実施形態について説明する。図１０は、第２実施形態の作業札１０Ａを示す概略図である。図１１は、円筒部材１６Ａの概略斜視図である。図１２は、円筒部材１６Ａと、紐１４の一部を示す概略図である。
【００４９】
図１０及び図１１等に示すように、円筒部材１６Ａには、貫通孔１６ａを仕切る仕切り部１６ｂが円筒部材１６Ａと一体に形成されている。
【００５０】
このため、図１０の状態から円筒部材１６Ａを紐１４の上方に移動させても、図１２に示すように、仕切り部１６ｂが紐１４の上端部１４ａの下に位置するから、円筒部材１６Ａが紐１４と分離することはない。
【００５１】
なお、本実施形態とは異なり、仕切り部１６ｂは、円筒部材１６Ａの貫通孔１６ａの上端部又は下端部の一部に形成するようにしてもよい。
【００５２】
本実施の形態によれば、作業札を、停電箇所に対応する電源ユニットを誤解を生じることなく表示し、かつ、迅速に取り付けることが可能である。
【００５３】
なお、上述の各実施形態とは異なり、作業札１０及び１０Ａは、電源ユニットだけではなくて、発電プラントにおける他の作業をしている箇所にも使用することができる。例えば、作業札１０等を、蒸気等が通過する配管工事の際に、縁切りをしている箇所のバルブ等に配置することもできる。
【図面の簡単な説明】
【００５４】
【図１】第１実施形態の作業札を示す概略斜視図である。
【図２】円筒部材の概略斜視図である。
【図３】作業札の使用方法の一例を示す概略図である。
【図４】作業札の使用方法の一例を示す概略図である。
【図５】作業札の使用方法の一例を示す概略図である。
【図６】作業札の使用方法の一例を示す概略図である。
【図７】作業札の使用方法の一例を示す概略図である。
【図８】電源制御装置を含む制御盤を示す概略図である。
【図９】作業札の使用方法の一例を示す概略図である。
【図１０】第２実施形態の作業札を示す概略斜視図である。
【図１１】円筒部材の概略斜視図である。
【図１２】円筒部材と、紐の一部を示す概略図である。
【図１３】従来例を示す図である。
【図１４】従来例を示す図である。
【図１５】従来例を示す図である。
【図１６】従来例を示す図である。
【符号の説明】
【００５５】
１０，１０Ａ・・・作業札、１２・・・本体、１４・・・紐、１６，１６Ａ・・・円筒部材
【図１】
2009026002.tif 000003
【図２】
2009026002.tif 000004
【図３】
2009026002.tif 000005
【図４】
2009026002.tif 000006
【図５】
2009026002.tif 000007
【図６】
2009026002.tif 000008
【図７】
2009026002.tif 000009
【図８】
2009026002.tif 000010
【図９】
2009026002.tif 000011
【図１０】
2009026002.tif 000012
【図１１】
2009026002.tif 000013
【図１２】
2009026002.tif 000014
【図１３】
2009026002.tif 000015
【図１４】
2009026002.tif 000016
【図１５】
2009026002.tif 000017
【図１６】
2009026002.tif 000018